(57)【特許請求の範囲】
【請求項１】
人の体圧を直接に又は表層材を介して受けるフロントシェルと、前記フロントシェルの後ろに配置したフレーム状又はシェル状のバックサポートとを有しており、前記フロントシェルを、当該フロントシェルをバックサポートに対して下向き動させると互いに係合する係合手段で前記バックサポートに取り付けている、
という構成であって、
前記係合手段は、前記フロントシェルをバックサポートに対して前向き動不能に保持する第１係合手段と、前記フロントシェルを前記バックサポートに対して上向き動不能に保持する第２係合手段とから成っており、
前記第１係合手段は、鉤形の係合爪と爪受け部との組み合わせ又は鉤形の係合爪同士の組み合わせから成っている一方、前記第２係合手段は、前記フロントシェルを下向き動させると弾性変形してから互いに引っ掛かるキャッチ爪とキャッチ受けとの組み合わせは又はキャッチ爪同士の組み合わせから成っており、
前記フロントシェルの上端には前記バックサポートに上から重なる後ろ向き庇部が形成されており、前記フロントシェルの後ろ向き庇部と前記バックサポートの上端部とに前記第２係合手段を設けている、
椅子のショルダーレスト又は背もたれ若しくはヘッドレスト。
【請求項２】
前記バックサポートは、左右サイドメンバーとアッパーメンバーとロアメンバーとを有する前後開口のフレーム構造になっており、前記バックサポートの左右サイドメンバーに、前記第１係合手段を構成する爪受け部が上下に並んで複数個形成され、前記バックサポートのアッパーメンバーに、前記第２係合手段を構成するキャッチ受けが左右に並んで複数個形成されており、前記フロントシェルの後ろ向き庇部に設けた前記キャッチ爪が前記アッパーメンバーの下方から操作可能になっている、
請求項１に記載した椅子のショルダーレスト又は背もたれ若しくはヘッドレスト。
【請求項３】
前記フロントシェルの左右側部に前記第１係合手段として側面視鉤形の係合爪を後ろ向きに突設している一方、前記バックサポートの左右サイドメンバーには、前記第１係合手段として前記係合爪が嵌まる枠状爪受け部が形成されており、更に、前記フロントシェルの左右側部とバックサポートにおけるサイドメンバーの左右内側部に、左右方向に重なる上下長手の左右位置規制リブを形成している、
請求項２に記載した椅子のショルダーレスト又は背もたれ若しくはヘッドレスト。
【発明の詳細な説明】
【技術分野】
【０００１】
本願発明は、椅子のショルダーレスト（肩当て）又は背もたれ若しくはヘッドレストに関するものである。
【背景技術】
【０００２】
これら椅子のショルダーレスト又は背もたれ若しくはヘッドレストは、樹脂製のフロントシェル（インナーシェルとも呼ばれる）をフレーム状やシェル状のバックサポートで後ろから支持している構造が多い。そして、フロントシェルをバックサポートに取り付ける構造として、ねじを使用せずに、樹脂の弾性を利用した係合方式を採用することが行われている。
【０００３】
例えば特許文献１には、背もたれの構造として、フロントシェルの上部に下向きの鉤状片を形成して、これをバックサポートの嵌合部に上から落とし込む一方、フロントシェルの下部とバックサポートの下部とに、上記した鉤状片を支点にしてフロントシェルを後ろ向きに押し付けると弾性変形してから互いに嵌まり合う係合部を設けている。
【０００４】
また、特許文献２には、バックシェルの上部とフロントシェルの上部とに互いに重なり合う後ろ向きの縁部を形成し、これによってフロントシェルが下向き動しないように保持した背もたれにおいて、フロントシェルの背面に側面視上向き鉤状の係合爪を突設し、これをバックシェルに形成した係合穴に弾性に抗して嵌め込むことで開示されている。
【０００５】
また、特許文献３には、アウターシェル（バックサポート）の前面に平面視茸形で上下に長い突起を多数本形成する一方、インナーシェル（フロントシェル）の背面には、前記突起の頭部を抱持する縦溝（凹溝）付きの規制手段を設け、インナーシェルを下向き動させて規制手段を突起に嵌め込むことにより、インナーシェルを前後動不能及び左右動不能に保持すると共に、インナーシェルには弾性変形可能な係止爪を突設し、インナーシェルを下降させ切ると係止爪がアウターシェルに設けた係合穴に嵌まるようにした構成が開示されている。
【０００６】
この特許文献３では、インナーシェルを下降させている途中では係止爪が曲がり変形しており、インナーシェルを下降させ切ると係止爪は弾性復元してアウターシェルに嵌まり、これによってインナーシェルは上向き動不能に保持される。
【先行技術文献】
【特許文献】
【０００７】
【特許文献１】特開平０８−２５２１４８号公報
【特許文献２】特開２００２−１０２０１０号公報
【特許文献３】実開平０７−２８４５３号のＣＤ−ＲＯＭ
【発明の概要】
【発明が解決しようとする課題】
【０００８】
これら各特許文献のものは、ねじ止め方式に比べて組み立て作業性が優れているが、特許文献１のものは、フロントシェルをいったん下向き動させてから、その下部を後ろ向きに押圧するという作業をせねばならず、フロントシェルの取り付けが２アクションになるため、組み立ての迅速性という点が不十分であった。また、特許文献１は、フロントシェルの下部を手で強く引くと係合部の係合が解除されるおそれがあり、このためフロントシェルの保持機能（取り付け強度）に問題があると言える。
【０００９】
次に、特許文献２は、まず、フロントシェルとバックサポートとの上縁部が後ろ向きに張り出したものにしか適用できないため、適用範囲が限定される問題がある。また、フロントシェルの下部を強く引っ張ると係合爪が係合穴から離脱する可能性がり、このためフロントシェルの保持機能についても問題があると言える。
【００１０】
他方、特許文献３のものは、インナーシェルは下向き動のワンアクションによってアウターシェルに取り付けられるため、組み立ての作業性に優れている。また、突起と規制手段とが上下に長い範囲で嵌まり合っているため、インナーシェルはどの部位を手前に強く引いてもアウターシェルから離脱することはなく、このためインナーシェルの保持機能にも優れている。
【００１１】
本願発明は、特許文献３のようにワンアクションで取り付けできる利点は維持しつつ、より改良された構造を実現せんとするものである。
【課題を解決するための手段】
【００１２】
本願発明は、椅子のショルダーレスト又は背もたれ若しくはヘッドレストに関し、これらは、人の体圧を直接に又は表層材を介して受けるフロントシェルと、前記フロントシェルの後ろに配置したフレーム状又はシェル状のバックサポートとを有しており、前記フロントシェルを、当該フロントシェルをバックサポートに対して下向き動させると互いに係合する係合手段で前記バックサポートに取り付けている、という基本構成になっている。
【００１３】
前記係合手段は、前記フロントシェルをバックサポートに対して前向き動不能に保持する第１係合手段と、前記フロントシェルを前記バックサポートに対して上向き動不能に保持する第２係合手段とから成っており、前記第１係合手段は、鉤形の係合爪と爪受け部との組み合わせ又は鉤形の係合爪同士の組み合わせから成っている一方、前記第２係合手段は、前記フロントシェルを下向き動させると弾性変形してから互いに引っ掛かるキャッチ爪とキャッチ受けとの組み合わせは又はキャッチ爪同士の組み合わせから成っており、前記フロントシェルの上端には前記バックサポートに上から重なる後ろ向き庇部が形成されており、前記フロントシェルの後ろ向き庇部と前記バックサポートの上端部とに前記第２係合手段を設けている。
【００１４】
請求項２の発明は、請求項１において、前記バックサポートは、左右サイドメンバーとアッパーメンバーとロアメンバーとを有する前後開口のフレーム構造になっており、前記バックサポートの左右サイドメンバーに、前記第１係合手段を構成する爪受け部が上下に並んで複数個形成され、前記バックサポートのアッパーメンバーに、前記第２係合手段を構成するキャッチ受けが左右に並んで複数個形成されており、前記フロントシェルの後ろ向き庇部に設けた前記キャッチ爪が前記アッパーメンバーの下方から操作可能になっている。
【００１５】
請求項３の発明は、請求項２において、前記フロントシェルの左右側部に前記第１係合手段として側面視鉤形の係合爪を後ろ向きに突設している一方、前記バックサポートの左右サイドメンバーには、前記第１係合手段として前記係合爪が嵌まる枠状爪受け部が形成されており、更に、前記フロントシェルの左右側部とバックサポートにおけるサイドメンバーの左右内側部に、左右方向に重なる上下長手の左右位置規制リブを形成している。
【発明の効果】
【００１６】
本願発明では、フロントシェルは、これをバックサポートに対して下向き動させるワンアクションによってバックサポートに取り付けできるため、組み立て作業性に優れている。すなわち、フロントシェルを下向き動させると、その動きによって第１係合手段と第２係合手段とが係合して、フロントシェルはバックサポートに前後動不能で上向き動不能に保持され、しかも、フロントシェルの後ろ向き庇部がバックサポートに上から重なることで、フロントシェルは下降動不能に保持されるのである。
【００１７】
そして、フロントシェルの後ろ向き庇部がバックサポートのアッパーメンバーに広い範囲にわたって重なるため、フロントシェルの支持安定性に優れているが、第２係合手段はフロントシェルの後ろ向き庇部とバックサポートの上端部とに設けているため、フロントシェルの後ろ向き庇部は、バックサポートの上端部にガタ付きのない状態にしっかりと保持される。
【００１８】
また、特許文献３の場合、係止爪を曲げ変形させた状態でインナーシェルを下降動させるため、インナーシェルは手前に押された状態で下降動することになり、このためインナーシェルの取付けに大きな力を要する場合があり得るが、本願発明では、第２係合手段のキャッチ爪とキャッチ受けとは（或いはキャッチ爪同士は）上下方向からの動きで互いに係合するものであるため、フロントシェルの取付けも軽い力で行い得る。
【００１９】
特許文献３では、係止爪がインナーシェル及びアウターシェルの上下中途部に配置されているため、人が手で係止爪を操作することができず、このためインナーシェルの取り外しが面倒である問題があるが、本願請求項２ではキャッチ爪はバックサポートの外側から操作できるため、キャッチ爪がキャッチ受けにしっかりと引っ掛かり係合する状態を保持しつつ、フロントシェルを取り外すことができる。従って、請求項２の発明は、バックサポートに対するフロントシェルの取り付け強度を確保しつつ、取り外しを容易ならしめることができる利点がある。また、請求項２のようにバックサポートをフレーム構造に形成して、アッパーメンバーの下方からキャッチ爪を操作できる構造を採用すると、椅子の通常の使用状態でキャッチ爪は外部から見えないため、美観に優れている。
【００２０】
バックサポートに対するフロントシェルの左右位置を規制（保持）する手段としては、第１係合手段や第２係合手段を利用することも可能であるが、請求項３のように左右位置規制リブを採用すると、フロントシェルの左右動をしっかりと規制して取り付けもスムースに行える利点がある。
【図面の簡単な説明】
【００２１】
【図１】本願発明を適用した椅子の図で、（Ａ）は斜視図、（Ｂ）は側面図である。
【図２】椅子を上方から見た斜視図である。
【図３】本願発明を適用したショルダーレストの正面図及びショルダーレストを取り付けた椅子の正面図である。
【図４】（Ａ）は図３の IV-IV視断面図、（Ｂ）は第２係合手段の嵌め込み手順を示す図、（Ｃ）は（Ａ）の部分図である。
【図５】フロントシェルとバックサポートとの分離斜視図である。
【図６】フロントシェルを裏返した状態での分離図である。
【図７】フロントシェルとバックサポートとの分離斜視図である。
【図８】（Ａ）はフロントシェルとバックサポートとの分離斜視図、（Ｂ）は変形例を示す部分側面図である。
【図９】（Ａ）はフロントシェルとバックサポートの分離斜視図、（Ｂ）はフロントシェルの部分斜視図である。
【発明を実施するための形態】
【００２２】
次に、本願発明の実施形態を図面に基づいて説明する。本実施形態は、事務用等に多用される回転椅子のショルダーレストに適用している。以下の説明及び請求項で方向を特定するため「前後」「左右」の文言を使用しているが、この文言は、椅子に普通の姿勢で着座した人が向いた方向を前として定義している。正面視は、着座者と相対向した方向から見た状態である。
【００２３】
(1).椅子の概要
図１に示すように、椅子は、脚支柱（ガスシリンダ）１のみを表示した脚装置、脚支柱１の上端に固定したベース２、ベース２の上方に配置した座体３、着座した人がもたれ掛かり得る背もたれ４を有している。
【００２４】
図２に示すように、背もたれ４は、合成樹脂製のバックフレーム５とその前面に固定した合成樹脂製の背板６とを備えている。背板６は横長の穴が多段に空いた横縞状の形態になっており、図３に示すように、背板６の前面には、表層材の一例としてクッション材７が張られている。クッション材７は、メッシュや布等の表皮材８で前から覆われている。なお、背板６を露出させたり、メッシュやクロス等の表皮材のみを張った構造としたりすることも可能である。
【００２５】
図２のとおり、バックフレーム５は、上下長手の左右サイドフレーム９と、その上端を繋ぐアッパーフレーム１０と、左右サイドフレーム９の下端を繋ぐロアフレーム１１とを有しており、左右サイドフレーム９とアッパーフレーム１０とに背板６が取り付けられている。図１のとおり、バックフレーム５はベース２に後傾動自在に連結されている。図２に示すように、バックフレーム５のアッパーフレーム１０は前向きに大きく抉られた形態を成しており、このため、アッパーフレーム１０と背板６の上端との間には左右横長の空所１２が空いている。
【００２６】
図３に示すように、本願発明を適用したショルダーレスト１４を背もたれ４に重ね配置できる。ショルダーレスト１４は、前面にクッション１５が張られたフロントシェル（インナーシェル）１６と、フロントシェル１６の後ろに配置したバックサポート１７とを有しており、フロントシェル１６はバックサポート１７に取り付けられている。クッション１５とフロントシェル１６とは袋状の表皮材（クロス）１８で覆われている。
【００２７】
バックサポート１７は、概ね正面視で左右横長の長方形に形成されており、前後に開口している。このため、バックサポート１７は、上下長手の左右サイドメンバー１９と、左右サイドメンバー１９の上端に繋がったアッパーメンバー２０と、左右サイドメンバー１９の下端に繋がったロアメンバー２１とを有しており、ロアメンバー２１に設けた左右一対の足部２２が、バックフレーム５のアッパーフレーム１０に固定されている。
【００２８】
足部２２はアッパーフレーム１０と背板６との間の空所１２に嵌まっており、外からは視認できない。このため美観に優れている。バックサポート１７の足部２２は金具及びビスでアッパーフレーム１０に固定されているが、本願発明との関連はないので説明は省略する。フロントシェル１６及びバックサポート１７は、いずれもＰＰ等の樹脂の一体成形品である。
【００２９】
ショルダーレスト１４は、背もたれ４と同じ左右横幅に設定されている。本実施形態ではショルダーレスト１４は左右横幅に対して高さが遙かに小さいが、ショルダーレスト１４の高さは任意に設定できるのであり、例えば着座した人の頭が当たる高さとすることも可能である（この場合は、ショルダーレスト１４がヘッドレストの機能も併有することになる。）。また、ショルダーレスト１４を背もたれの一部（上部背もたれ）として捉え、ショルダーレスト１４を設けることで椅子がハイバック仕様になると観念することも可能である。
【００３０】
(2).ショルダーレストの詳細
次に、図４以下の図面も参照してショルダーレスト１４の詳細を説明する。ショルダーレスト１４を構成するフロントシェル（インナーシェル）１６は三次元に湾曲した板状構造体であり、平面視では概ね前向き凹状に緩く湾曲しており、側面視では前向き凸状（或いは後ろ向き凹状）になっている。図４から明瞭に理解できるように、フロントシェル１６の上部は後ろ向きに大きく反っており、このため、フロントシェル１６の上端部は後ろ向き庇部２４になっている。
【００３１】
また、例えば図７に示すように、フロントシェル１６の左右両側端には、後ろ向き庇部２４に連続した側壁２５が形成されており、側壁の内側に上下長手の第１左右位置規制リブ２６を形成している。従って、側壁２５と第１左右位置規制リブ２６との間の部位は後ろ向きに開口した縦溝になっており、この縦溝に、第１係合手段の一環として、上下２つの係合爪２８が一体に形成されている。係合爪２８は側面視下向き鉤状の形態を成している。フロントシェル１６の後面には、縦横に延びる多数の補強リブ２９を形成している。
【００３２】
他方、例えば図７に示すように、バックサポート１７のサイドメンバー１９は、前向きに突出した外壁３０と第２左右位置規制リブ（内壁）３１とを有するチャンネル状になっており、このサイドメンバー１９の内部に、フロントシェル１６の係合爪２８が上から嵌入する枠状の爪受け部３２を形成している。爪受け部３２は、内外の支柱３２ａ，３２ｂと係合バー３２ｃとを有する平面視門形の形態を成しており、外支柱３２ａは外壁３０に一体化されている。内支柱３２ｂと第２左右位置規制リブ３１との間には、フロントシェル１６の第１左右位置規制リブ２６が嵌まる間隔が空いている。
【００３３】
そして、内支柱３２ｂと第２左右位置規制リブ３１とに、第１左右位置規制リブ２６を支える受け座３３が連続している。受け座３３の先端部は第１左右位置規制リブ２６を誘い込むように平面視で傾斜したガイド面３３ａになっている。第１左右位置規制リブ２６が受け座３３（或いは内支柱３２ｂ）と第２左右位置規制リブ３１との間に嵌合することにより、フロントシェル１６は左右動不能に保持されている。受け座３３は爪受け部３２とは別の箇所に設けることも可能であるが、本実施形態のように爪受け部３２の内支柱３２ｂに繋げた状態に形成すると、爪受け部３２の強度をアップできる利点がある。
【００３４】
上下２個の係合爪２８は、下部のものが上部のものよりも長くなっている。従って、フロントシェル１６をバックサポート１７に対してやや手前に倒した姿勢にして、下部の係合爪２８の先端（下端）を先に下部の爪受け部３２に少し嵌め込み、その状態でフロントシェル１６をバックサポート１７に完全に重ねてから下方にずらす、という手順を採ることより、上部の係合爪２８を上部の爪受け部３２に落とし込むことができる。従って、フロントシェル１６の位置合わせが容易である。
【００３５】
例えば図９に示すように、フロントシェル１６の背面のうち、後ろ向き庇部２４の付け根部近傍には、左右横長の水平状リブ板３５を後ろ向きに突設している。更に、水平状リブ板３５の上側には、後ろ向き庇部２４に繋がった前後位置規制リブ３６の群が左右に飛び飛びで形成されている。前後位置規制リブ３６は、背面視でＬ形やＴ形の形態を成しており、前後位置規制リブ３６の群と水平状リブ板３５との間には横長溝３７が空いている。
【００３６】
そして、既述のとおりフロントシェル１６とクッション１５とは袋状の表皮材１８で覆われているが、表皮材１８の開口部を絞っている紐（図示せず）を横長溝３７に押し込んでいる（表皮材１８は紐で封止せずにフロントシェル１６の後面に接着してもよく、この場合、表皮材１８の開口縁を横長溝３７に押し込んでもよい。）。
【００３７】
例えば図９に示すように、フロントシェル１６における後ろ向き庇部２４の下面のうち左右中間部と左右両端寄り部位との３カ所には、キャッチ爪３８を下向き突設している。キャッチ爪３８の下端には、鉤部３８ａを後ろ向きに突出させていると共に、人の指やドライバー等の工具を当て得る操作部３８ｂが前向き突出しており、このため、キャッチ爪３８は側面視でおおよそ逆Ｔ形の形態を成している。キャッチ爪３８の左右両側には補助片３９を設けている。また、フロントシェル１６には、金型を使用した射出成形で製造するにおいて、キャッチ爪３８の操作部３８ｂを容易に成形するための抜き違い穴４０が空いている。
【００３８】
そして、バックサポート１７におけるアッパーメンバー２０のうち左右中間部と左右両端寄り部位との３カ所に、キャッチ爪３８と補助片３９とのセットが上から嵌入するキャッチ受け部４１を一体に形成している。キャッチ受け部４１は、左右壁３０ａとその先端から横向き突出した補助バー４１ｂとを有して枠状の形態を成している。
【００３９】
図４（Ｂ）（Ｃ）に示すように、フロントシェル１６を下向き動させると、キャッチ爪３８はその弾性に抗していったん撓み変形し、フロントシェル１６を下降させ切ると、図４（Ａ）に示すように、元の形状に復元して鉤部３８ａがキャッチ受け部４１の奥縁に下方から引っ掛かり、これにより、フロントシェル１６は上向き動不能に保持される。
【００４０】
また、キャッチ爪３８は、図４（Ｃ）に矢印で示すように、操作部３８ｂに指を掛けたりマイナスドライバを当てたりして押すと、キャッチ受け部４１との係合を解除することができる。従って、フロントシェル１６を上向きに移動させて、係合爪２８を爪受け部３２から抜き外すことができる。既述のとおり、本実施形態ではフロントシェル１６は表皮材１８で全体が覆われているが、係合爪２８やキャッチ爪３８は表皮材１８を突き破った状態で露出させている。
【００４１】
キャッチ受け部４１の補助バー４１ｂにフロントシェル１６の補助片３９を当てることにより、フロントシェル１６はその上部においても前向き動不能に保持されている。このためフロントシェル１６はガタ付きのない状態に取り付けられる。図示の実施形態では左右補助バー４１ｂを分断しているが、一連に繋げてもよい。補助片３９と補助バー４１ｂとの組み合わせのような前後動規制手段は、キャッチ爪３８とは別の部位に設けることも可能である。
【００４２】
バックサポート１７におけるアッパーメンバー２０のうち、左右に隣り合ったキャッチ受け部４１の間には、フロントシェル１６の前後位置規制リブ３６が手前から当たり得る張り出し部４２を前向きに突設している。フロントシェル１６の取り付けに際して、フロントシェル１６は、前後位置規制リブ３６が張り出し部４２の前端に当たることで前後位置が規制され、その状態でフロントシェル１６を下向きにずらすと、キャッチ爪３８がキャッチ受け部４１にスムースに嵌入する。
【００４３】
図８（Ｂ）に示すように、係合爪２８の内面に、爪受け部３２の係合バー３２ｃを乗り越える補助突起４３を形成してもよい。このように、本願発明は、第１係合手段にフロントシェル１６の上向き動阻止機能を保持させることを排除するものではない。
【００４４】
(3).その他
本願発明は、上記の実施形態の他にも様々に具体化できる。例えば、バックサポートはフレーム構造である必然性はなく、シェル構造であってもよい。バックサポートがフレーム構造である場合、左右サイドメンバーを繋ぐ横長の中間メンバーを設けたり、アッパーメンバーとロアメンバーとを繋ぐ縦長の中間メンバーを設けたりすることも可能である。
【００４５】
係合手段をバックサポートのロアメンバーに設けることも可能であるが、アッパーメンバーに設けると、通常の使用状態でキャッチ爪が人目に触れないため美観に優れている。背もたれを構成するバックサポートにショルダーレストを取り付けることも可能である。すなわち、１つのバックサポートに背もたれとショルダーレストとを高さを変えて取り付けることも可能である（この場合は、ショルダーレストは上部背もたれと呼んでもよい。）。
【００４６】
また、本願発明はショルダーレストのみでなく、背もたれやヘッドレストにも適用できる。図示した背もたれのようにバックフレームを有する場合は、特に適用する価値が高いと言える。係合手段の具体的構成は必要に応じて選択できる。フロントシェルは、例えば多数のスリットを設けるなどしてもよい。第２係合手段としては、鉤形のキャッチ爪同士の噛み合いを採用することも可能である。参考例として、第２係合手段をフロントシェルの左右両側部とバックサポートの左右両側部（例えばサイドメンバー）とに設けることも可能である。
【産業上の利用可能性】
【００４７】
本願発明は、椅子のショルダーレストや背もたれ、ヘッドレストに適用して有用性を発揮する。従って産業上利用できる。
【符号の説明】
【００４８】
４  背もたれ
５  背もたれのバックフレーム
６  背板
１４  ショルダーレスト
１５  表層材の一例としてのクッション
１６  フロントシェル
１７  バックサポート
１９  バックサポートのサイドメンバー
２０  バックサポートのアッパーメンバー
２１  バックサポートのロアメンバー
２４  フロントシェルの後ろ向き庇部
２６  第１左右位置規制リブ
２８  係合爪
３１  第２左右位置規制リブ
３２  爪受け部
３６  前後位置規制リブ
３８  キャッチ爪
４１  キャッチ受け部
４２  張り出し部
【図１】
0005671280.tif 000002
【図２】
0005671280.tif 000003
【図３】
0005671280.tif 000004
【図４】
0005671280.tif 000005
【図５】
0005671280.tif 000006
【図６】
0005671280.tif 000007
【図７】
0005671280.tif 000008
【図８】
0005671280.tif 000009
【図９】
0005671280.tif 000010